(57)【要約】【課題】  従来のエンベデッドオーディオのレベルメータは一定期間のピークレベルの表示を行い、使用者はそれによりオーディオの基準レベルを調整するものであった。しかしながら、ピークレベルおよびそれに達する時間は映像シーン毎に異なり、オーディオの基準レベルは一定期間のピークレベル表示だけで調整できるものではなく、使用者がその一定期間より過去のピークレベルを記憶し、基準レベルを調整する必要があった。【解決手段】  本発明によるモニターは、使用者が映像を見ながら決定した任意期間（映像シーン単位）のピークレベル表示、およびピークレベルに達した時間(タイムコード)を映像と共に表示可能とすることにより、オーディオ基準レベルの調整を容易化する。【選択図】  図３
2009069549.tif 000002
【特許請求の範囲】
【請求項１】
ＳＤＩ信号に多重されたエンベデッドオーディオのレベルメータ表示において、使用者が同一画面内の映像を見ながら決定した任意期間に対して、ピークレベル保持表示機能を持つことを特徴とするモニター。
【請求項２】
前記任意期間のピークレベル保持表示機能は、モニター搭載のスイッチのＯＮ／ＯＦＦにて実行され、それがＯＮの期間中はピークレベルを更新して保持・表示し続けることを特徴とする請求項１記載のモニター。
【請求項３】
前記任意期間のピークレベル保持表示機能は、ピークレベルが更新された場合には、その時間としてＳＤＩ信号に多重されたタイムコードを記録・表示することを特徴とする請求項１及び２記載のモニター。
【発明の詳細な説明】
【技術分野】
【０００１】
本発明は、エンベデッドオーディオのピークレベル保持機能を備えたモニターに関するものである。
【背景技術】
【０００２】
従来のエンベデッドオーディオのレベルメータは、一定期間のピークレベルの表示を行い、使用者はそれによりオーディオの基準レベルを調整するものであった。
【０００３】
【特許文献１】特開平０５−１５７５７８号公報
【発明の開示】
【発明が解決しようとする課題】
【０００４】
しかしながら、ピークレベルおよびそれに達する時間は映像シーン毎に異なり、オーディオの基準レベルは一定期間のピークレベル表示だけで調整できるものではなく、よって使用者がその一定期間より過去のピークレベルを記憶し、基準レベルを調整する必要があった。
【０００５】
本発明は、上記問題点を解決し、映像を見ながら使用者が決定した任意期間（映像シーン単位）のピークレベル表示、およびピークレベルに達した時間(タイムコード)の表示を可能とするモニターを提供することを課題としている。
【課題を解決するための手段】
【０００６】
上記問題を解決する為に、本発明のエンベデッドオーディオのピークレベル保持機能を備えたモニターは、ＳＤＩ信号に多重されたエンベデッドオーディオのレベルメータ表示について、映像を見ながら使用者が決定した任意期間中のピークレベル保持機能を持つことを特徴とする。
【０００７】
この発明によれば、任意期間のピークレベル保持機能は、モニター搭載のスイッチのＯＮ／ＯＦＦにて実行され、それがＯＮの期間中はピークレベルを更新して保持し続けるので、映像シーン単位でのピークレベル表示が可能となる。
【０００８】
更に本発明によれば、ピークレベルが更新された場合には、その時間としてＳＤＩ信号に多重されたタイムコードを記録して表示するので、映像シーン単位でピークレベルに達した時間の表示が可能となる。
【発明の効果】
【０００９】
本発明によれば、映像シーン単位でピークレベル表示、およびピークレベルに達した時間(タイムコード)の表示が可能なので、使用者が過去のピークレベルを記憶し、基準レベルを調整する必要がなくなる。
【発明を実施するための最良の形態】
【００１０】
以下、従来の技術について図１を用いて説明する。
【００１１】
ＳＤＩ信号１を映像確認用モニターに入力し、セレクタ回路２にて映像データ３、オーディオデータ４を取り出す。レベル検出回路５にて閾値処理をし、オーディオデータ４をレベルメータ表示用のレベルデータ６に変換する。レベルデータ６はピークレベル検出回路７に入力されて、ディスプレイ１０表示用のレベルメータ８とピークレベル９に変換される。
【００１２】
ピークレベル検出回路７はピークレベルの更新およびリセットを行い、よってピークレベル９は現在から一定期間過去の最大値となり、それがレベルメータ８とともにディスプレイ１０に表示される。
【００１３】
使用者はディスプレイ１０に表示される映像データ３を見ながら、ピークレベルを監視および記憶し、その記憶により映像シーン単位でオーディオの基準レベルを調整する。
【００１４】
次に、本発明における任意期間のピークレベル保持機能を、映像確認用モニターに適用した場合について、図２を用いて説明する。
【００１５】
ＳＤＩ信号１１を映像確認用モニターに入力し、セレクタ回路１２にて映像データ１３、オーディオデータ１４、タイムコードデータ２１を取り出す。レベル検出回路１５にて閾値処理をし、オーディオデータ１４をレベルメータ表示用のレベルデータ１６に変換する。レベルデータ１６、タイムコードデータ２１はピークレベル検出回路１７に入力されて、ディスプレイ２０表示用のレベルメータ１８とピークレベル１９とタイムコード２２に変換される。
【００１６】
ピークレベル保持スイッチ２３がＯＮの間は、ピークレベル検出回路１７はピークレベルの更新、および更新時のタイムコードの記録を行い、よってピークレベル１９はピークレベル保持スイッチ２３がＯＮになってから現在までの最大値となり、タイムコード２２はそのピークレベルに達した時間となり、それらがレベルメータ１８とともにディスプレイ２０に表示される。
【００１７】
ピークレベル保持スイッチ２３がＯＦＦの間は、ピークレベル検出回路１７はピークレベルの更新およびリセット、および更新時のタイムコードの記録を行い、よってピークレベル１９は現在から一定期間過去の最大値となり、タイムコード２２は現在から一定期間過去のピークレベルに達した時間となり、それらがレベルメータ１８とともにディスプレイ２０に表示される。
【００１８】
また、ピークレベル保持スイッチ２３がＯＮからＯＦＦになった瞬間に、ピークレベル検出回路１７はピークレベルのリセットを行い、よってピークレベル１９はその瞬間、レベルメータ１８と同じレベルでディスプレイ２０に表示される。
【００１９】
同様に、ピークレベル保持スイッチ２３がＯＮからＯＦＦになった瞬間に、ピークレベル検出回路１７はタイムコードのリセット(現在、ＳＤＩ信号に多重されているタイムコードに更新)を行い、よってタイムコード２２はその瞬間、タイムコードデータ２１に同じ値がディスプレイ２０に表示される。
【００２０】
使用者はディスプレイ２０に表示される映像データ１３、およびタイムコードデータ２１を見ながら、ピークレベル保持スイッチ２３をＯＮすることで、ディスプレイ２０にて映像シーン単位のピークレベル１９とそのピークレベルに達した時間タイムコード２２を把握することが可能となる。
【００２１】
またピークレベル保持スイッチ２３を１度ＯＦＦすることにより、ピークレベル１９およびタイムコード２２はリセットされるので、映像シーンの切り替わりにも素早く対応できる。
【００２２】
以下、本発明における任意期間のピークレベル保持機能を、映像確認用モニターに適用した場合のモニター表示について、図３を用いて説明する。
【００２３】
はじめに、実線で囲まれた領域がモニターの表示領域３９となり、その中に全ての情報(レベルメータ、タイムコード、映像)を同時に表示する。レベルメータについては、本来チャンネルＣＨ１〜ＣＨ１６まで表示するが、ここでは図の見易さを考慮してＣＨ１〜ＣＨ８にて説明する。
【００２４】
オーディオレベルメータ表示３１は画面中央に配置し、エンベデッドオーディオのＣＨ１〜ＣＨ８について、ピークレベル３２と現在のオーディオレベル３３を表示する。
【００２５】
タイムコード表示３４はエンベデッドオーディオのＣＨの数だけ用意し、ピークレベルに達した時間はタイムコード３５のように表示し、エンベデッドオーディオが多重されていない場合、あるいはタイムコードが多重されていない場合には、タイムコード３６のように表示する。
【００２６】
使用者は、映像表示エリア３８にて現在の入力映像を確認しながらＶＩＴＣ（Ｖｅｒｔｉｃａｌ  Ｉｎｔｅｒｖａｌ  Ｔｉｍｅ  Ｃｏｄｅ）のタイムコード表示３７にて入力映像のタイムコードを確認し、映像確認用モニター搭載のピークレベル保持スイッチをＯＮ／ＯＦＦすることで、映像シーン単位のピークレベル３２とそのピークレベルに達した時間のタイムコード３５を把握することができる。
【００２７】
更に、本モニターを映像監視用モニターとして使用する場合のモニター表示内容を図４に示す。目的によって不必要となる情報(オーディオレベルメータ、タイムコード、等)の表示／非表示を使用者が選択可能とすることで、入力映像表示領域４１に表示された入力映像を監視するモニターとしても使用できる。
【図面の簡単な説明】
【００２８】
【図１】従来技術による映像確認用モニターの機能ブロック図である。
【図２】本発明による映像確認用モニターの機能ブロック図である。
【図３】本発明において任意期間のピークレベル保持機能を実行した場合のモニター表示図である。
【図４】本発明において入力映像のみを監視する場合のモニター表示図である。
【符号の説明】
【００２９】
１  ＳＤＩ映像信号
２  セレクタ回路
３  映像データ
４  オーディオデータ
５  レベルデータ作成用レベル検出回路
６  レベルメータ用データ
７  モニター表示用レベルメータとピークレベルの作成回路
８  モニター表示用レベルメータ
９  モニター表示用ピークレベル
１０  映像確認用モニターのディスプレイ
１１  ＳＤＩ映像信号
１２  セレクタ回路
１３  映像データ
１４  オーディオデータ
１５  レベルデータ作成用レベル検出回路
１６  レベルメータ用データ
１７  モニター表示用レベルメータとピークレベルとタイムコードの作成回路
１８  モニター表示用レベルメータ
１９  モニター表示用ピークレベル
２０  映像確認用モニターのディスプレイ
２１  タイムコードデータ
２２  モニター表示用タイムコード
２３  映像確認用モニター搭載のピークレベル保持スイッチ
３１  オーディオレベルメータ表示
３２  ピークレベル
３３  現在のオーディオレベル
３４  ピークレベルのタイムコード表示
３５  チャンネル毎のピークレベルのタイムコード表示
３６  エンベデッドオーディオがない又はタイムコードがない場合のタイムコード表示
３７  現在のタイムコード表示
３８  入力映像表示領域
３９  ディスプレイの表示領域
４１  入力映像表示領域
【図１】
2009069549.tif 000003
【図２】
2009069549.tif 000004
【図３】
2009069549.tif 000005
【図４】
2009069549.tif 000006